(57)【要約】【課題】原価の高騰を抑えること。【解決手段】第１導電性材料で成形された主バスバ部材２０Ａと、第２導電性材料で主バスバ部材とは別体のものとして成形され、主バスバ部材に組み付けることで、主バスバ部材に対して物理的且つ電気的に接続される副バスバ部材３０Ａと、を備え、主バスバ部材は、正負それぞれの電極端子１２２を有する複数の電池セル１２０が配列された電池モジュール１１０の隣り合う２つの電極端子を跨いで配置し得る形状に成形し、隣り合う２つの電極端子の内の第１導電性材料から成る第１電極端子１２２Ａに溶接することで、第１電極端子に対して物理的且つ電気的に接続させ、副バスバ部材は、隣り合う２つの電極端子の内の第２導電性材料から成る第２電極端子１２２Ｂと主バスバ部材との間に介在し、第２電極端子に溶接することで、主バスバ部材と第２電極端子とを電気的に接続させること。【選択図】図３
2019008876.tif 000002
【特許請求の範囲】
【請求項１】
第１導電性材料で成形された主バスバ部材と、
第２導電性材料で前記主バスバ部材とは別体のものとして成形され、前記主バスバ部材に組み付けることで、前記主バスバ部材に対して物理的且つ電気的に接続される副バスバ部材と、
を備え、
前記主バスバ部材は、正負それぞれの電極端子を有する複数の電池セルが配列された電池モジュールの隣り合う２つの電極端子を跨いで配置し得る形状に成形し、隣り合う２つの前記電極端子の内の前記第１導電性材料から成る第１電極端子に溶接することで、前記第１電極端子に対して物理的且つ電気的に接続させ、
前記副バスバ部材は、隣り合う２つの前記電極端子の内の前記第２導電性材料から成る第２電極端子と前記主バスバ部材との間に介在し、前記第２電極端子に溶接することで、前記主バスバ部材と前記第２電極端子とを電気的に接続させることを特徴としたバスバユニット。
【請求項２】
前記主バスバ部材は、前記副バスバ部材が嵌め込まれる被嵌合部を有することを特徴とした請求項１に記載のバスバユニット。
【請求項３】
前記第１導電性材料は、前記第２導電性材料よりも比重の小さい材料であることを特徴とした請求項１又は２に記載のバスバユニット。
【請求項４】
前記第１導電性材料は、前記第２導電性材料よりも導電率の高い材料であることを特徴とした請求項１又は２に記載のバスバユニット。
【請求項５】
正負それぞれの電極端子を有する複数の電池セルが配列された電池モジュールの隣り合う２つの電極端子を電気的に接続させるバスバユニットと、
複数の前記電池セルの配列方向に延在させ、前記バスバユニット及び電気接続対象物の間を電気的に接続させる電線と、
前記バスバユニット及び前記電線を収容する収容部材と、
を備え、
前記バスバユニットは、第１導電性材料で成形された主バスバ部材と、第２導電性材料で前記主バスバ部材とは別体のものとして成形され、前記主バスバ部材に組み付けることで、前記主バスバ部材に対して物理的且つ電気的に接続される副バスバ部材と、を備え、
前記主バスバ部材は、隣り合う２つの前記電極端子を跨いで配置し得る形状に成形し、隣り合う２つの前記電極端子の内の前記第１導電性材料から成る第１電極端子に溶接することで、前記第１電極端子に対して物理的且つ電気的に接続させ、
前記副バスバ部材は、隣り合う２つの前記電極端子の内の前記第２導電性材料から成る第２電極端子と前記主バスバ部材との間に介在し、前記第２電極端子に溶接することで、前記主バスバ部材と前記第２電極端子とを電気的に接続させることを特徴とした導電モジュール。
【発明の詳細な説明】
【技術分野】
【０００１】
本発明は、バスバユニット及び導電モジュールに関する。
【背景技術】
【０００２】
従来、電気自動車やハイブリッド車等の車両には、その駆動源となる回転機に対して給電を行う電池パックが搭載されている。そして、その電池パックには、正負それぞれの電極端子を有する複数の電池セルが配列された電池モジュールと、この電池モジュールの少なくとも１つの電極端子に対して電気的に接続させる導電モジュールと、が設けられている。その導電モジュールは、電極端子に対して電気的に接続される導電性のバスバ部材と、このバスバ部材と電気接続対象物側とに対して各々電気的に接続される電線と、そのバスバ部材及び電線を収容する収容部材と、を備えている。この種の導電モジュールについては、下記の特許文献１に開示されている。
【先行技術文献】
【特許文献】
【０００３】
【特許文献１】特開２０１５−８８４２６号公報
【発明の概要】
【発明が解決しようとする課題】
【０００４】
ところで、電池モジュールにおいては、複数の電池セルの配列方向で隣り合う２つの電極端子が各々異種材料で成形されている場合がある。よって、バスバ部材は、そのそれぞれの電極端子に溶接させるため、一方の電極端子を成す第１導電性材料で形成された第１導電体と、他方の電極端子を成す第２導電性材料で形成された第２導電体と、を備える必要がある。例えば、このバスバ部材としては、第１導電体と第２導電体とがクラッド化されたものを用いることができる。しかしながら、クラッド材から成るバスバ部材は、アルミニウムや銅等の単一の導電性材料で成形されたものと比較して、原価の高騰を招く虞がある。
【０００５】
そこで、本発明は、原価の高騰を抑え得るバスバユニット及び導電モジュールを提供することを、その目的とする。
【課題を解決するための手段】
【０００６】
上記目的を達成する為、本発明に係るバスバユニットは、第１導電性材料で成形された主バスバ部材と、第２導電性材料で前記主バスバ部材とは別体のものとして成形され、前記主バスバ部材に組み付けることで、前記主バスバ部材に対して物理的且つ電気的に接続される副バスバ部材と、を備え、前記主バスバ部材は、正負それぞれの電極端子を有する複数の電池セルが配列された電池モジュールの隣り合う２つの電極端子を跨いで配置し得る形状に成形し、隣り合う２つの前記電極端子の内の前記第１導電性材料から成る第１電極端子に溶接することで、前記第１電極端子に対して物理的且つ電気的に接続させ、前記副バスバ部材は、隣り合う２つの前記電極端子の内の前記第２導電性材料から成る第２電極端子と前記主バスバ部材との間に介在し、前記第２電極端子に溶接することで、前記主バスバ部材と前記第２電極端子とを電気的に接続させることを特徴としている。
【０００７】
ここで、前記主バスバ部材は、前記副バスバ部材が嵌め込まれる被嵌合部を有することが望ましい。
【０００８】
また、前記第１導電性材料は、前記第２導電性材料よりも比重の小さい材料であることが望ましい。
【０００９】
また、前記第１導電性材料は、前記第２導電性材料よりも導電率の高い材料であることが望ましい。
【００１０】
また、上記目的を達成する為、本発明に係る導電モジュールは、正負それぞれの電極端子を有する複数の電池セルが配列された電池モジュールの隣り合う２つの電極端子を電気的に接続させるバスバユニットと、複数の前記電池セルの配列方向に延在させ、前記バスバユニット及び電気接続対象物の間を電気的に接続させる電線と、前記バスバユニット及び前記電線を収容する収容部材と、を備え、前記バスバユニットは、第１導電性材料で成形された主バスバ部材と、第２導電性材料で前記主バスバ部材とは別体のものとして成形され、前記主バスバ部材に組み付けることで、前記主バスバ部材に対して物理的且つ電気的に接続される副バスバ部材と、を備え、前記主バスバ部材は、隣り合う２つの前記電極端子を跨いで配置し得る形状に成形し、隣り合う２つの前記電極端子の内の前記第１導電性材料から成る第１電極端子に溶接することで、前記第１電極端子に対して物理的且つ電気的に接続させ、前記副バスバ部材は、隣り合う２つの前記電極端子の内の前記第２導電性材料から成る第２電極端子と前記主バスバ部材との間に介在し、前記第２電極端子に溶接することで、前記主バスバ部材と前記第２電極端子とを電気的に接続させることを特徴としている。
【発明の効果】
【００１１】
本発明に係るバスバユニットは、第１電極端子に合わせて同種の第１導電性材料で成形された主バスバ部材と、第２電極端子に合わせて同種の第２導電性材料で成形された副バスバ部材と、を備えている。そして、このバスバユニットは、各々別部品として用意された主バスバ部材と副バスバ部材とを互いに組み付けることで、この相互間を物理的且つ電気的に接続させる。よって、本発明に係るバスバユニットは、クラッド材を用いて形成されたものと比較して、原価の高騰を抑えることができるので、安価に形成することができる。そして、本発明に係る導電モジュールは、そのバスバユニットを備えており、このバスバユニットと同様の効果を得ることができる。
【図面の簡単な説明】
【００１２】
【図１】図１は、バスバユニット及び導電モジュールを示す斜視図であって、電池モジュールに取り付けた状態を示す図である。
【図２】図２は、バスバユニット及び導電モジュールを電池モジュールと共に示す斜視図である。
【図３】図３は、実施形態のバスバユニットを示す斜視図である。
【図４】図４は、実施形態のバスバユニットを示す平面図である。
【図５】図５は、実施形態のバスバユニットを図４の矢印Ａの方向に見た図である。
【図６】図６は、図４のＸ１−Ｘ１線及びＸ２−Ｘ２線で切った断面図である。
【図７】図７は、収容部材の斜視図である。
【図８】図８は、変形例１のバスバユニットを示す斜視図である。
【図９】図９は、変形例１のバスバユニットを示す平面図である。
【図１０】図１０は、図９のＸ３−Ｘ３線及びＸ４−Ｘ４線で切った断面図である。
【図１１】図１１は、変形例２のバスバユニットを示す平面図である。
【図１２】図１２は、図１１のＸ５−Ｘ５線及びＸ６−Ｘ６線で切った断面図である。
【発明を実施するための形態】
【００１３】
以下に、本発明に係るバスバユニット及び導電モジュールの実施形態を図面に基づいて詳細に説明する。尚、この実施形態によりこの発明が限定されるものではない。
【００１４】
本発明に係るバスバユニット及び導電モジュールについて以下に説明する。
【００１５】
図１及び図２の符号１は、導電モジュールを示す。また、図１及び図２の符号１０は、バスバユニットを示す。導電モジュール１は、電池モジュール１１０を成す複数の電池セル１２０の内の少なくとも１つに対して電気的に接続されるものであり、この電池モジュール１１０と共に電池パック１００を成す。電池パック１００とは、回転機を駆動源として備える車両（電気自動車やハイブリッド車等）に搭載されるものであり、その回転機に対する給電等に供される。先ずは、この導電モジュール１の接続対象について説明する。
【００１６】
電池セル１２０は、セル本体１２１と、２つの電極端子１２２と、を備える（図２）。それぞれの電極端子１２２は、外方に露出させた状態でセル本体１２１の何れかの場所に各々設けたものであって、一方が正極となり、他方が負極となる。それぞれの電極端子１２２は、例えば、セル本体１２１の外壁面に設けた板状のものである。電池セル１２０は、セル本体１２１が複数の外壁面を有する場合、それぞれの電極端子１２２が１つの外壁面に配置されていてもよく、電極端子１２２が配置される外壁面を電極端子１２２毎に分けてもよい。電池モジュール１１０においては、それぞれの電池セル１２０の何れか一方の電極端子１２２を一列に並べ、かつ、他方の電極端子１２２も一列に並べた状態で、それぞれの電池セル１２０を連ねて配列している。このため、この電池モジュール１１０では、一列に並べられた電極端子１２２から成る電極端子群１２５が２箇所に設けられている。
【００１７】
この電池モジュール１１０においては、それぞれの電極端子群１２５毎に、電池セル１２０の配列方向で隣り合う２つの電極端子１２２が電気的に接続される。後で詳述するバスバユニット１０は、その２つの電極端子１２２を電気的に接続させるものである。更に、この電池モジュール１１０の全ての電極端子１２２においては、他の電極端子１２２に対して電気的に接続されないものが２つ存在している。その独立した２つの電極端子１２２は、一方が所謂総正極となり、その内の他方が所謂総負極となる。導電モジュール１は、その総正極としての電極端子１２２に対して電気的に接続されるバスバ１０Ｐと、その総負極としての電極端子１２２に対して電気的に接続されるバスバ１０Ｍと、を備えている（図１及び図２）。
【００１８】
例えば、ここで例示する電池セル１２０は、セル本体１２１が方体を成している。従って、この例示の電池モジュール１１０は、配列された複数の電池セル１２０の集合体によって仮想的に方体を成しており、６つの壁面を有している。また、ここで例示する電池セル１２０においては、正負それぞれの電極端子１２２が１つの外壁面に配置されている。よって、この例示の電池モジュール１１０においては、方体を成す６つの壁面の内の１つに２つの電極端子群１２５が設けられている。また、ここで例示する電池セル１２０においては、正負それぞれの電極端子１２２が板状に形成されており、その電極端子１２２に対して溶接（レーザ溶接、超音波溶接、抵抗溶接等）でバスバユニット１０やバスバ１０Ｐ，１０Ｍが接続される。
【００１９】
更に、ここで例示する電池モジュール１１０においては、電池セル１２０の配列方向で隣り合う２つの電極端子１２２が各々異種の導電性材料で成形されている。その導電性材料としては、例えば、アルミニウム、アルミニウム合金、銅、銅合金等の金属が考えられる。以下においては、隣り合う２つの電極端子１２２の内の一方を「第１電極端子１２２Ａ」と称し、その内の他方を「第２電極端子１２２Ｂ」と称する場合もある。この電池モジュール１１０においては、第１電極端子１２２Ａが第１導電性材料で形成され、第２電極端子１２２Ｂが第２導電性材料で形成される。
【００２０】
尚、電極端子１２２には、バスバユニット１０を接続する際の位置決めの目安となる突起部１２２ａが設けられている（図２）。その突起部１２２ａは、電極端子１２２の露出平面（後述するようにバスバユニット１０が接続される平面）から突出させた柱状体であり、全ての電極端子１２２に設けてもよく、特定の電極端子１２２に設けてもよい。前者の場合には、全ての突起部１２２ａを同じ形状のものとしてもよく、例えば、正極用の電極端子１２２と負極用の電極端子１２２とで形状を変えてもよい。また、後者の場合には、例えば、正極用の電極端子１２２と負極用の電極端子１２２の内の何れか一方のみに設ける。この例示では、全ての電極端子１２２に同一形状の突起部１２２ａが設けられている。
【００２１】
導電モジュール１は、このように構成されている電池モジュール１１０に対して、それぞれの電極端子群１２５の内の少なくとも一方に接続する。この例示の導電モジュール１は、双方の電極端子群１２５に対して各々電気的に接続されるように構成している。
【００２２】
［実施形態］
以下に、本発明に係るバスバユニット及び導電モジュールの実施形態の１つを図３から図７に基づいて説明する。
【００２３】
本実施形態の導電モジュール１は、バスバユニット１０として、次に示すバスバユニット１０Ａを備える（図３から図６）。そのバスバユニット１０Ａは、主バスバ部材２０Ａと副バスバ部材３０Ａとを備えている。更に、本実施形態の導電モジュール１は、バスバユニット１０Ａと対を成す電線４０を備える（図１）。その電線４０は、バスバ１０Ｐ用のものとバスバ１０Ｍ用のものも用意されている。また更に、本実施形態の導電モジュール１は、そのバスバユニット１０Ａと電線４０とが収容される収容部材５０を備える（図１及び図２）。この導電モジュール１においては、互いに電気的に接続される一対のバスバユニット１０Ａと電線４０の組み合わせを少なくとも１組設ける。この例示では、その組み合わせがそれぞれの電極端子群１２５毎に複数組設けられている。
【００２４】
バスバユニット１０Ａは、導電性を有するものであり、複数の電池セル１２０の配列方向で隣り合う２つの電極端子１２２に対して電気的に接続され、かつ、対を成す電線４０に対して電気的に接続される。このバスバユニット１０Ａにおいては、主バスバ部材２０Ａを第１電極端子１２２Ａに溶接し、副バスバ部材３０Ａを第２電極端子１２２Ｂに溶接する。主バスバ部材２０Ａは、第１導電性材料から成る第１電極端子１２２Ａに溶接するので、この第１電極端子１２２Ａと同じ第１導電性材料で成形する。また、副バスバ部材３０Ａは、第２導電性材料から成る第２電極端子１２２Ｂに溶接するので、この第２電極端子１２２Ｂと同じ第２導電性材料で成形する。
【００２５】
主バスバ部材２０Ａは、第１電極端子１２２Ａに溶接することで、この第１電極端子１２２Ａに対して物理的且つ電気的に接続させる。この主バスバ部材２０Ａは、複数の電池セル１２０の配列方向で隣り合う２つの電極端子１２２（第１電極端子１２２Ａ、第２電極端子１２２Ｂ）を跨いで配置し得る形状に成形する。この例示の主バスバ部材２０Ａは、その隣り合う２つの電極端子１２２に覆い被せることができる大きさの矩形の平板状に成形している。この主バスバ部材２０Ａは、溶接点２０ａを２箇所に有しており（図４及び図６）、それぞれの溶接点２０ａで第１電極端子１２２Ａに溶接する。
【００２６】
この主バスバ部材２０Ａは、副バスバ部材３０Ａが嵌め込まれる被嵌合部２１を有する（図３、図４及び図６）。その被嵌合部２１は、副バスバ部材３０Ａが嵌合されることで、主バスバ部材２０Ａと副バスバ部材３０Ａとを物理的且つ電気的に接続させる。この例示では、その接続を強固なるものとするために、主バスバ部材２０Ａと副バスバ部材３０Ａとを溶接（レーザ溶接、超音波溶接、抵抗溶接等）で固定している。
【００２７】
被嵌合部２１は、副バスバ部材３０Ａを嵌め込むことが可能な溝又は貫通孔として形成する。この例示の被嵌合部２１は、矩形の貫通孔として形成している。
【００２８】
ここで、先に示したように、電極端子１２２には、突起部１２２ａが設けられている。この例示の主バスバ部材２０Ａには、その突起部１２２ａを避けるための貫通孔２２が形成されている（図３及び図４）。ここでは、主バスバ部材２０Ａの溶接対象となる第１電極端子１２２Ａの突起部１２２ａを避けるために、その貫通孔２２が形成されている。一方、この例示では、被嵌合部２１の一部を第２電極端子１２２Ｂの突起部１２２ａを避けるために利用する。
【００２９】
副バスバ部材３０Ａは、主バスバ部材２０Ａとは別体のものとして成形されたものであり、その主バスバ部材２０Ａに組み付けることで、この主バスバ部材２０Ａに対して物理的且つ電気的に接続される。先に示したように、この副バスバ部材３０Ａは、主バスバ部材２０Ａの被嵌合部２１に嵌合されることによって、この主バスバ部材２０Ａに対して物理的且つ電気的に接続されている。更に、この副バスバ部材３０Ａは、被嵌合部２１への嵌合状態で主バスバ部材２０Ａに溶接されている。この副バスバ部材３０Ａは、被嵌合部２１への嵌合状態で第２電極端子１２２Ｂと主バスバ部材２０Ａとの間に介在し、その第２電極端子１２２Ｂに溶接することで、主バスバ部材２０Ａと第２電極端子１２２Ｂとを電気的に接続させる。
【００３０】
この副バスバ部材３０Ａは、１つのバスバユニット１０Ａにおいて、少なくとも１つ設けられていればよい。この例示では、２つの副バスバ部材３０Ａが用意されている。それぞれの副バスバ部材３０Ａは、各々、被嵌合部２１に嵌合され、かつ、第２電極端子１２２Ｂに溶接される。その副バスバ部材３０Ａは、矩形の平板状に成形している。この例示の副バスバ部材３０Ａは、主バスバ部材２０Ａと同等の板厚に成形されており、自らの平面と主バスバ部材２０Ａの平面とが面一となるように被嵌合部２１に嵌合される。よって、それぞれの副バスバ部材３０Ａは、第２電極端子１２２Ｂに接触させることができる。それぞれの副バスバ部材３０Ａは、各々、溶接点３０ａを有しており（図４及び図６）、この溶接点３０ａで第２電極端子１２２Ｂに溶接する。
【００３１】
矩形の被嵌合部２１においては、対向配置されている２つの端部に各々副バスバ部材３０Ａが嵌め込まれている。この被嵌合部２１においては、それぞれの副バスバ部材３０Ａが各々の端部に寄せて配置されており、それぞれの副バスバ部材３０Ａの間に貫通孔部２１ａが形成されている（図３及び図４）。その貫通孔部２１ａは、第２電極端子１２２Ｂの突起部１２２ａを避けるために利用する。つまり、それぞれの副バスバ部材３０Ａは、第２電極端子１２２Ｂの突起部１２２ａを避けるための貫通孔部２１ａを残して、被嵌合部２１に嵌め込まれている。
【００３２】
電線４０は、バスバユニット１０Ａ及び電気接続対象物２００（図１）の間を電気的に接続させるために用いられる。この電線４０は、電池パック１００において、複数の電池セル１２０の配列方向に延在させる。電気接続対象物２００とは、例えば、電池セル１２０の電池状態（電圧、電流、温度等）を監視する電池監視ユニットのことである。よって、電線４０は、電池セル１２０の電圧を検出するための電圧検出線として設けられている。この電線４０は、例えば、端子金具（図示略）を介してバスバユニット１０Ａに対して電気的に接続してもよく、溶接やろう付けでバスバユニット１０Ａに対して電気的に接続してもよい。
【００３３】
収容部材５０は、合成樹脂等の絶縁性材料で成形されている。この収容部材５０には、バスバユニット１０Ａと電線４０とが収容される。この例示の収容部材５０は、それぞれの電極端子群１２５毎に、バスバユニット１０Ａやバスバ１０Ｐ，１０Ｍが収容されるバスバ収容室５１と、バスバユニット１０Ａやバスバ１０Ｐ，１０Ｍ側から引き出された電線４０が収容される電線収容室５２と、を有している（図７）。
【００３４】
この例示の収容部材５０は、一方の電極端子群１２５側のバスバ収容室５１として、第１バスバ収容室５１Ａと第２バスバ収容室５１Ｂと第３バスバ収容室５１Ｃとを有している。第１バスバ収容室５１Ａとは、バスバユニット１０Ａが収容される部屋である。この第１バスバ収容室５１Ａは、バスバユニット１０Ａ毎に形成されている。第２バスバ収容室５１Ｂとは、バスバ１０Ｐが収容される部屋である。第３バスバ収容室５１Ｃとは、バスバ１０Ｍが収容される部屋である。第２バスバ収容室５１Ｂと第３バスバ収容室５１Ｃは、各々１つずつ形成されている。また、この例示の収容部材５０は、他方の電極端子群１２５側のバスバ収容室５１として、バスバユニット１０Ａ毎の第１バスバ収容室５１Ａを有している。
【００３５】
電線収容室５２は、それぞれの電極端子群１２５毎に一部屋ずつ設けられている。この電線収容室５２には、バスバユニット１０Ａやバスバ１０Ｐ，１０Ｍ側から引き出された電線４０が収容される。一方の電極端子群１２５側の電線収容室５２には、この電極端子群１２５のそれぞれの電極端子１２２に対して電気的に接続されたそれぞれの電線４０が収容されている。また、他方の電極端子群１２５側の電線収容室５２には、この電極端子群１２５のそれぞれの電極端子１２２に対して電気的に接続されたそれぞれの電線４０が収容されている。
【００３６】
この例示の収容部材５０には、それぞれの電極端子群１２５毎に、バスバ収容室５１と電線収容室５２のそれぞれの開口（収容口）を塞ぐ蓋体５３が設けられている（図７）。
【００３７】
この導電モジュール１においては、主バスバ部材２０Ａに副バスバ部材３０Ａを取り付けてバスバユニット１０Ａが形成される。この導電モジュール１においては、バスバユニット１０Ａが形成された後、このバスバユニット１０Ａに対して電線４０の端部が接続される。この導電モジュール１においては、例えば、収容部材５０を電池モジュール１１０に配置した上で、電線４０付きのバスバユニット１０Ａとバスバ１０Ｐ，１０Ｍを全て収容部材５０に収容し、それぞれの電線４０を電線収容室５２に沿って配策する。バスバユニット１０Ａとバスバ１０Ｐ，１０Ｍは、電極端子１２２に対して溶接される。それぞれのバスバユニット１０Ａにおいては、主バスバ部材２０Ａが第１電極端子１２２Ａに溶接され、副バスバ部材３０Ａが第２電極端子１２２Ｂに溶接される。この導電モジュール１においては、これらの工程を経て、収容部材５０の蓋体５３が閉じられる。
【００３８】
以上示したように、本実施形態のバスバユニット１０Ａは、第１電極端子１２２Ａに合わせて同種の第１導電性材料で成形された主バスバ部材２０Ａと、第２電極端子１２２Ｂに合わせて同種の第２導電性材料で成形された副バスバ部材３０Ａと、を備えている。そして、このバスバユニット１０Ａは、各々別部品として用意された主バスバ部材２０Ａと副バスバ部材３０Ａとを互いに組み付けることで、この相互間を物理的且つ電気的に接続させる。その組付けには、ここで例示したように、嵌合や溶接という簡便な手法を用いることができる。よって、本実施形態のバスバユニット１０Ａは、クラッド材を用いて形成されたものと比較して、原価の高騰を抑えることができるので、安価に形成することができる。そして、本実施形態の導電モジュール１は、そのバスバユニット１０Ａを備えており、このバスバユニット１０Ａと同様の効果を得ることができる。
【００３９】
ここで、本実施形態のバスバユニット１０Ａは、第１導電性材料と第２導電性材料とに次のような違いを持つものを適用することによって、以下に示す効果を得ることができる。例えば、この例示では、第１電極端子１２２Ａがアルミニウムで形成されているので、主バスバ部材２０Ａもアルミニウムで成形されており、また、第２電極端子１２２Ｂが銅で形成されているので、副バスバ部材３０Ａも銅で成形されている。つまり、この例示の第１導電性材料（アルミニウム）は、第２導電性材料（銅）よりも比重の小さい材料である。本実施形態のバスバユニット１０Ａは、副バスバ部材３０Ａが主バスバ部材２０Ａの被嵌合部２１に嵌め込まれるものであり、体積の大部分を主バスバ部材２０Ａが占めている。よって、本実施形態のバスバユニット１０Ａは、クラッド材を用いて形成されたものと比較して、体積が同じであるならば、軽量化を図ることができる。何故ならば、クラッド材を用いて形成されたバスバ部材は、略同等の割合で、第１導電性材料で形成されている部分と第２導電性材料で形成されている部分とが配置されるからである。かかる効果については導電モジュール１でも得ることができ、その導電モジュール１においては、バスバユニット１０Ａが複数箇所に配置されているので、軽量化の効果が顕著なものとして現れる。
【００４０】
［変形例１］
本変形例のバスバユニット及び導電モジュールを図８から図１０に基づいて説明する。
【００４１】
本変形例の導電モジュール１は、バスバユニット１０として次に示すバスバユニット１０Ｂを備えたものである。ここでは、前述した実施形態の導電モジュール１において、バスバユニット１０Ａをバスバユニット１０Ｂに置き換えたものとして説明する。
【００４２】
本変形例のバスバユニット１０Ｂは、主バスバ部材２０Ｂと副バスバ部材３０Ｂとを備えている。
【００４３】
この例示の主バスバ部材２０Ｂは、実施形態の主バスバ部材２０Ａと同じように、複数の電池セル１２０の配列方向で隣り合う２つの電極端子１２２（第１電極端子１２２Ａ、第２電極端子１２２Ｂ）を跨いで配置し得る形状に成形している。そして、この主バスバ部材２０Ｂは、その隣り合う２つの電極端子１２２に覆い被せることができる大きさの矩形の平板状に成形している。本変形例の主バスバ部材２０Ｂは、溶接点２０ａを２箇所に有しており（図９及び図１０）、それぞれの溶接点２０ａで第１電極端子１２２Ａに溶接する。
【００４４】
この主バスバ部材２０Ｂは、実施形態の主バスバ部材２０Ａと同じように、副バスバ部材３０Ｂが嵌め込まれる被嵌合部２１を有している（図８から図１０）。本変形例においても、その被嵌合部２１は、矩形の貫通孔に形成されたものとして例示している。また、この主バスバ部材２０Ｂには、第１電極端子１２２Ａの突起部１２２ａを避けるための貫通孔２２が形成されている（図８及び図９）。
【００４５】
また、この例示の副バスバ部材３０Ｂは、実施形態の副バスバ部材３０Ａと同じように、主バスバ部材２０Ｂとは別体のものとして成形され、その主バスバ部材２０Ｂに組み付けることで、この主バスバ部材２０Ｂに対して物理的且つ電気的に接続される。本変形例においても、副バスバ部材３０Ｂは、実施形態の副バスバ部材３０Ａと同じように、矩形の平板状に成形され、被嵌合部２１に嵌め込まれるものが２つ用意されている。この副バスバ部材３０Ｂは、被嵌合部２１への嵌合状態で主バスバ部材２０Ｂに溶接されている。
【００４６】
この副バスバ部材３０Ｂは、被嵌合部２１への嵌合状態で第２電極端子１２２Ｂと主バスバ部材２０Ｂとの間に介在し、その第２電極端子１２２Ｂに溶接することで、主バスバ部材２０Ｂと第２電極端子１２２Ｂとを電気的に接続させる。それぞれの副バスバ部材３０Ｂは、各々、溶接点３０ａを有しており（図９及び図１０）、この溶接点３０ａで第２電極端子１２２Ｂに溶接する。それぞれの副バスバ部材３０Ｂは、第２電極端子１２２Ｂの突起部１２２ａを避けるための貫通孔部２１ａ（図８及び図９）を残して、被嵌合部２１に嵌め込まれている。
【００４７】
ここで、本変形例の電池モジュール１１０においては、第１電極端子１２２Ａが銅で形成されて、第２電極端子１２２Ｂがアルミニウムで形成されている。故に、本変形例では、主バスバ部材２０Ｂが銅で成形され、副バスバ部材３０Ｂがアルミニウムで成形されている。そして、本変形例のバスバユニット１０Ｂは、副バスバ部材３０Ｂが主バスバ部材２０Ｂの被嵌合部２１に嵌め込まれるものであり、体積の大部分を主バスバ部材２０Ｂが占めている。よって、このバスバユニット１０Ｂは、実施形態のバスバユニット１０Ａと同等の形状で且つ同等の大きさのものとして形成されているのであれば、そのバスバユニット１０Ａよりも重くなってしまう。しかしながら、第１導電性材料（銅）は、第２導電性材料（アルミニウム）よりも導電率が高い。従って、本変形例のバスバユニット１０Ｂは、実施形態のバスバユニット１０Ａと同等の形状で且つ同等の大きさのものとして形成した場合、そのバスバユニット１０Ａよりも導電性に優れたものとして構成することができる。また、本変形例のバスバユニット１０Ｂは、導電性を低下させても良いのであれば、主バスバ部材２０Ｂの体積を減らすことができるので、体格の小型化や軽量化を図ることができる。例えば、このバスバユニット１０Ｂは、実施形態のバスバユニット１０Ａと同等の導電性のもので良いのであれば、体格の小型化が図れるので、主バスバ部材２０Ｂに副バスバ部材３０Ｂより導電率の高い材料を用いたとしても、重量の増加を抑えたり、軽量化を図ったりすることができる。
【００４８】
本変形例のバスバユニット１０Ｂ及び導電モジュール１は、前述した実施形態のバスバユニット１０Ａ及び導電モジュール１と同様の効果を得るのみならず、第１導電性材料を第２導電性材料よりも導電率が高い材料にすることで、より有用な効果を得ることができる。
【００４９】
［変形例２］
本変形例のバスバユニット及び導電モジュールを図１１及び図１２に基づいて説明する。
【００５０】
本変形例の導電モジュール１は、バスバユニット１０として次に示すバスバユニット１０Ｃを備えたものである。ここでは、前述した実施形態の導電モジュール１において、バスバユニット１０Ａをバスバユニット１０Ｃに置き換えたものとして説明する。
【００５１】
本変形例のバスバユニット１０Ｃは、主バスバ部材２０Ｃと副バスバ部材３０Ｃとを備えている。
【００５２】
この例示の主バスバ部材２０Ｃは、実施形態の主バスバ部材２０Ａと同じように、複数の電池セル１２０の配列方向で隣り合う２つの電極端子１２２（第１電極端子１２２Ａ、第２電極端子１２２Ｂ）を跨いで配置し得る形状に成形している。そして、この主バスバ部材２０Ｃは、その隣り合う２つの電極端子１２２に覆い被せることができる大きさの矩形の平板状に成形している。本変形例の主バスバ部材２０Ｃは、溶接点２０ａを２箇所に有しており（図１１及び図１２）、それぞれの溶接点２０ａで第１電極端子１２２Ａに溶接する。
【００５３】
この主バスバ部材２０Ｃは、実施形態の主バスバ部材２０Ａと同じように、副バスバ部材３０Ｃが嵌め込まれる被嵌合部２１を有している。本変形例においても、その被嵌合部２１は、矩形の貫通孔に形成されたものとして例示している。また、この主バスバ部材２０Ｃには、第１電極端子１２２Ａの突起部１２２ａを避けるための貫通孔２２が形成されている（図１１）。
【００５４】
また、この例示の副バスバ部材３０Ｃは、実施形態の副バスバ部材３０Ａと同じように、主バスバ部材２０Ｃとは別体のものとして成形され、その主バスバ部材２０Ｃに組み付けることで、この主バスバ部材２０Ｃに対して物理的且つ電気的に接続される。本変形例においても、副バスバ部材３０Ｃは、実施形態の副バスバ部材３０Ａと同じように、矩形の平板状に成形され、被嵌合部２１に嵌め込まれるものが２つ用意されている。この副バスバ部材３０Ｃは、その被嵌合部２１への嵌合状態を保たせるべく、例えば複数のリベット部３０Ｃ1を有しており、それぞれのリベット部３０Ｃ1を介して主バスバ部材２０Ｃにリベット止めされている。
【００５５】
この副バスバ部材３０Ｃは、被嵌合部２１への嵌合状態で第２電極端子１２２Ｂと主バスバ部材２０Ｃとの間に介在し、その第２電極端子１２２Ｂに溶接することで、主バスバ部材２０Ｃと第２電極端子１２２Ｂとを電気的に接続させる。それぞれの副バスバ部材３０Ｃは、各々、溶接点３０ａを有しており（図１１及び図１２）、この溶接点３０ａで第２電極端子１２２Ｂに溶接する。それぞれの副バスバ部材３０Ｃは、第２電極端子１２２Ｂの突起部１２２ａを避けるための貫通孔部２１ａを残して、被嵌合部２１に嵌め込まれている（図１１）。
【００５６】
本変形例のバスバユニット１０Ｃ及び導電モジュール１は、主バスバ部材２０Ｃと副バスバ部材３０Ｃとの間の固定構造を変えたとしても、前述した実施形態のバスバユニット１０Ａ及び導電モジュール１と同様の効果を得ることができる。
【符号の説明】
【００５７】
１  導電モジュール
１０，１０Ａ，１０Ｂ，１０Ｃ  バスバユニット
２０Ａ，２０Ｂ，２０Ｃ  主バスバ部材
２０ａ  溶接点
２１  被嵌合部
３０Ａ，３０Ｂ，３０Ｃ  副バスバ部材
３０ａ  溶接点
４０  電線
５０  収容部材
１１０  電池モジュール
１２０  電池セル
１２２  電極端子
１２２Ａ  第１電極端子
１２２Ｂ  第２電極端子
２００  電気接続対象物
【図１】
2019008876.tif 000003
【図２】
2019008876.tif 000004
【図３】
2019008876.tif 000005
【図４】
2019008876.tif 000006
【図５】
2019008876.tif 000007
【図６】
2019008876.tif 000008
【図７】
2019008876.tif 000009
【図８】
2019008876.tif 000010
【図９】
2019008876.tif 000011
【図１０】
2019008876.tif 000012
【図１１】
2019008876.tif 000013
【図１２】
2019008876.tif 000014